(57)【要約】      （修正有）【課題】ウェブ会議において会議参加者を誤って選択してしまうこと低減させる仕組みを提供する。【解決手段】情報処理装置と、複数のクライアント端末とが通信可能に接続されたウェブ会議システムにおける情報処理装置であって、クライアント端末において撮影された顔画像を取得し、取得された顔画像と、当該顔画像にかかるユーザとを対応付けて記録する。記録された顔画像を、当該ユーザの情報とともにクライアント端末で表示させるべく管理する。【選択図】図４
2017117201.tif 000002
【特許請求の範囲】
【請求項１】
情報処理装置と、複数のクライアント端末とが通信可能に接続されたウェブ会議システムにおける情報処理装置であって、
前記クライアント端末において撮影された顔画像を取得する画像取得手段と、
前記画像取得手段で取得された顔画像と、当該顔画像にかかるユーザとを対応付けて記録する顔画像記録手段と、
前記顔画像記録手段で記録された顔画像を、当該ユーザの情報とともに前記クライアント端末で表示させるべく管理する管理手段と、
を備えることを特徴とする情報処理装置。
【請求項２】
前記顔画像記録手段は、さらに、前記画像取得手段により取得された顔画像と、当該顔画像にかかるユーザが参加している会議を示す情報と、当該顔画像が取得された日時とを対応付けて記録する顔画像記録手段と、
前記管理手段は、前記クライアント端末を利用するユーザが参加した会議において取得された顔画像を、当該ユーザが利用するクライアント端末で表示すべく管理することを特徴とする請求項１に記載の情報処理装置。
【請求項３】
情報処理装置と、複数のクライアント端末とが通信可能に接続されたウェブ会議システムにおける情報処理装置における情報処理方法であって、
前記情報処理装置の画像取得手段が、前記クライアント端末において撮影された顔画像を取得する画像取得工程と、
前記情報処理装置の顔画像記録手段が、前記画像取得工程で取得された顔画像と、当該顔画像にかかるユーザとを対応付けて記録する顔画像記録工程と、
前記情報処理装置の管理手段が、前記顔画像記録工程で記録された顔画像を、当該ユーザの情報とともに前記クライアント端末で表示させるべく管理する管理工程と、
を備えることを特徴とする情報処理方法。
【請求項４】
情報処理装置と、複数のクライアント端末とが通信可能に接続されたウェブ会議システムにおける情報処理装置において実行可能なプログラムであって、
前記情報処理装置を、
前記クライアント端末において撮影された顔画像を取得する画像取得手段と、
前記画像取得手段で取得された顔画像と、当該顔画像にかかるユーザとを対応付けて記録する顔画像記録手段と、
前記顔画像記録手段で記録された顔画像を、当該ユーザの情報とともに前記クライアント端末で表示させるべく管理する管理手段として機能させることを特徴とするプログラム。
【発明の詳細な説明】
【技術分野】
【０００１】
本発明は、情報処理装置、情報処理方法、プログラムに関する。
【背景技術】
【０００２】
近年、複数のクライアント端末とサーバ装置とをネットワークで接続し、ユーザがそれぞれのクライアント端末を用いてネットワークを介してリアルタイムで情報交換を行うウェブ会議システムが普及している。
【０００３】
ウェブ会議システムによると、遠隔地にいるユーザ同士をネットワーク上の仮想空間（バーチャル会議室、仮想会議室）に集め、１つの画面に複数の遠隔地にいるユーザを表示することが出来る。
【０００４】
これにより、各拠点にいながらお互いの顔を見ながらミーティングをすることが可能となる。
【０００５】
このようなウェブ会議システムの一例が特許文献１に記載されている。
【先行技術文献】
【特許文献】
【０００６】
【特許文献１】特開２０１２−１７８０７５号公報
【発明の開示】
【発明が解決しようとする課題】
【０００７】
ウェブ会議を開催するにあたり、仮想会議室の予約をする際に当該会議に参加する（参加してほしい）ユーザを選択し、開催通知等を送ることが行われている。
【０００８】
その際、ユーザを選択するにあたり、同姓同名のユーザが登録されていたり、似ている名前のユーザが登録されていたりすると、誤った選択をしてしまう可能性がある。
【０００９】
そこで、本発明は、ウェブ会議において会議参加者を誤って選択してしまうこと低減させる仕組みを提供することを目的とする。
【課題を解決するための手段】
【００１０】
本発明の情報処理装置は、情報処理装置と、複数のクライアント端末とが通信可能に接続されたウェブ会議システムにおける情報処理装置であって、前記クライアント端末において撮影された顔画像を取得する画像取得手段と、前記画像取得手段で取得された顔画像と、当該顔画像にかかるユーザとを対応付けて記録する顔画像記録手段と、前記顔画像記録手段で記録された顔画像を、当該ユーザの情報とともに前記クライアント端末で表示させるべく管理する管理手段と、を備えることを特徴とする。
【００１１】
また、本発明の情報処理方法は、情報処理装置と、複数のクライアント端末とが通信可能に接続されたウェブ会議システムにおける情報処理装置における情報処理方法であって、前記情報処理装置の画像取得手段が、前記クライアント端末において撮影された顔画像を取得する画像取得工程と、前記情報処理装置の顔画像記録手段が、前記画像取得工程で取得された顔画像と、当該顔画像にかかるユーザとを対応付けて記録する顔画像記録工程と、前記情報処理装置の管理手段が、前記顔画像記録工程で記録された顔画像を、当該ユーザの情報とともに前記クライアント端末で表示させるべく管理する管理工程と、を備えることを特徴とする。
【００１２】
また、本発明のプログラムは、情報処理装置と、複数のクライアント端末とが通信可能に接続されたウェブ会議システムにおける情報処理装置において実行可能なプログラムであって、前記情報処理装置を、前記クライアント端末において撮影された顔画像を取得する画像取得手段と、前記画像取得手段で取得された顔画像と、当該顔画像にかかるユーザとを対応付けて記録する顔画像記録手段と、前記顔画像記録手段で記録された顔画像を、当該ユーザの情報とともに前記クライアント端末で表示させるべく管理する管理手段として機能させることを特徴とする。
【発明の効果】
【００１３】
本発明によれば、ウェブ会議において会議参加者を誤って選択してしまうこと低減させる仕組みを提供することが可能となる。
【図面の簡単な説明】
【００１４】
【図１】本実施形態におけるウェブ会議システムの構成を示す図
【図２】情報処理装置１０１、クライアント端末１０２のハードウェア構成を示す図
【図３】ウェブ会議における顔画像記録処理を示すフローチャート
【図４】クライアント端末１０２に表示する顔画像を決定する処理の第１形態を示すフローチャート
【図５】クライアント端末１０２に表示する顔画像を決定する処理の第２形態を示すフローチャート
【図６】顔画像データが登録されたデータテーブルの一例を示す図
【図７】クライアント端末１０２に表示されるアドレス帳の一例を示す図
【図８】顔画像を変更する場合の操作を説明するための画面
【図９】会議室一覧画面の一例を示す図
【発明を実施するための形態】
【００１５】
以下、図面を参照して本発明の実施形態を詳細に説明する。図１は、本発明の実施形態における、情報処理システムの構成の一例を示す図である。
【００１６】
図１に示す通り、本発明の情報処理システムは、情報処理装置１０１と、複数のクライアント端末１０２が、ネットワーク１０３を介して通信可能に接続され、構成されている。
【００１７】
情報処理装置１０１は、クライアント端末１０２を用いたウェブ会議を実行するための各種機能を備えている。例えば、ウェブ会議用のルーム（仮想の会議室）の作成・記憶を行う。例えば、図７に示す会議室情報や予約情報を記憶する。
【００１８】
また、情報処理装置１０１は、クライアント端末１０２の識別情報と各クライアント端末から、例えば、会議参加者であるユーザを撮像した画像データである会議画像（カメラ画像／映像）を受信する。
【００１９】
また、当該クライアント端末１０２の識別情報と、当該クライアント端末１０２で情報処理装置１０１に入室中、事前入室中のユーザのユーザ情報（例えばユーザＩＤ）を対応付けて記憶する。また、会議開催中の場合、情報処理装置１０１は、各クライアント端末１０２から受信した画像、音声、その他のデータを、同じ会議室に入室中の（会議に参加中の）クライアント端末１０２に配信する。
【００２０】
クライアント端末１０２の具体例としては、例えばパーソナルコンピュータ（ＰＣ）や、スマートフォン、タブレット端末に代表される携帯端末がある。
【００２１】
ＰＣには、カメラ機能を備えられている。ユーザからの操作に応じて（例えば認証情報の入力・送信指示に応じて）情報処理装置１０１へログインし、当該カメラが撮像して取得した映像としての画像データ（会議画像／映像／動的なデータ）を、逐次、情報処理装置１０１を介して、同一のルームに入室中（会議に参加中）の他のＰＣや携帯端末などのクライアント端末１０２に送信する。
【００２２】
携帯端末は、カメラ機能及びタッチパネル機能（操作部）を備える携帯型の端末である（タブレット、スマートフォン等）。ＰＣと同じく、ユーザからの操作に応じて（例えば認証情報の入力・送信指示に応じて）情報処理装置１０１へログインし、当該カメラが撮像して取得した映像としての画像データ（会議画像／映像／動的なデータ）を、逐次、情報処理装置１０１を介して、同一のルームに入室中（会議に参加中）の他のＰＣや携帯端末などのクライアント端末１０２に送信する。
【００２３】
また、各クライアント端末は、カメラから取得した画像データの他に、当該クライアント端末に記憶されているデータ、例えば写真画像や、ＰＤＦファイル等の文書データ等の静的なデータを、情報処理装置１０１を介して他のクライアント端末に送信して共有するデータ共有機能を備える。
【００２４】
当該静的なデータを他のクライアント端末に送信する場合、例えば、全てのクライアント端末は当該静的なデータを表示画面に表示する制御を行う。データ共有機能では、複数のクライアント端末間で共有中のデータは、当該複数のクライアント端末において同じ状態のデータ（共有画像）が表示される。例えば、拠点Ａのクライアント端末において共有画像が拡大された場合、他の端末（拠点ＢやＣのクライアント端末）において表示中の共有画像も同じ拡大位置・拡大率で拡大処理がされることとなる。
【００２５】
全ての端末からの当該表示中の共有画像（例えば文書データの画像）に対する操作・編集を有効にしてしまうと、操作（各操作に応じた処理（表示制御））が競合してしまう可能性があるため、ここでは、データ共有を開始した拠点Ａのクライアント端末をホストとして、当該ホスト端末のみが、当該共有中のデータに対する編集を行えるよう制御する。操作の競合の一例として、複数の端末から同時に拡操作、及び縮小操作がされた場合があげられる。
以上が図１の説明である。
【００２６】
図２は、本発明の実施形態に係わる情報処理装置１０１、クライアント端末１０２のハードウェア構成の一例を示すブロック図である。
【００２７】
図２に示すように、情報処理装置１０１では、システムバス２００を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、記憶装置２０４、入力コントローラ２０５、音声入力コントローラ２０６、ビデオコントローラ２０７、メモリコントローラ２０８、よび通信Ｉ／Ｆコントローラ２０９が接続される。
【００２８】
ＣＰＵ２０１は、システムバス２００に接続される各デバイスやコントローラを統括的に制御する。
【００２９】
ＲＯＭ２０２あるいは記憶装置２０４は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００３０】
ＲＡＭ２０３は、ＣＰＵ２０１の主メモリ、ワークエリア等として機能する。ＣＰＵ２０１は、処理の実行に際して必要なプログラム等をＲＯＭ２０２あるいは記憶装置２０４からＲＡＭ２０３にロードし、ロードしたプログラムを実行することで各種動作を実現する。
【００３１】
入力コントローラ２０５は、キーボード／タッチパネル２１０などの入力装置からの入力を制御する。入力装置はこれに限ったものでなく、マウスやマルチタッチスクリーンなどの、複数の指でタッチされた位置を検出することが可能なタッチパネルであってもよい。
【００３２】
ユーザがタッチパネルに表示されたアイコンやカーソルやボタンに合わせて押下（指等でタッチ）することにより、各種の指示を行うことができる。
【００３３】
この入力装置を用いて各種通信装置で利用可能な通信宛先に対する宛先を入力するようになっている。
【００３４】
音声入力コントローラ２０６は、マイク２１１からの入力を制御する。マイク２１１から入力された音声を音声認識することが可能となっている。
【００３５】
ビデオコントローラ２０７は、ディスプレイ２１２などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作により受け付け可能な装置については、キーボード／タッチパネル２１０からの入力を受け付けることも可能となる。
【００３６】
なおビデオコントローラ２０７は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００３７】
本発明では、ユーザが情報処理装置を通常する場合の表示に用いられる第１のビデオメモリ領域と、所定の画面が表示される場合に、第１のビデオメモリ領域の表示内容に重ねての表示に用いられる第２のビデオメモリ領域を有している。ビデオメモリ領域は２つに限ったものではなく、情報処理装置の資源が許す限り複数有することが可能なものとする。
【００３８】
メモリコントローラ２０８は、外部メモリ２１３へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００３９】
通信Ｉ／Ｆコントローラ２０９、ネットワーク２１４を介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００４０】
なお、記憶装置２０４は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００４１】
また本実施形態における通信端末で行われる各種処理時の一時的なメモリエリアとしても利用可能である。
【００４２】
次に図３に示すフローチャートを用いて、ウェブ会議における顔画像記録処理について説明する。
【００４３】
図３のフローチャートで示す処理は、情報処理装置１０１のＣＰＵ２０１が所定の制御プログラムを読み出して実行する処理である。
【００４４】
ステップＳ３０１では、情報処理装置１０１のＣＰＵ２０１は、クライアント端末１０２からの指示に基づき、ユーザのウェブ会議への参加を受け付ける。
【００４５】
ステップＳ３０２では、情報処理装置１０１のＣＰＵ２０１は、ステップＳ３０１で参加したユーザがウェブ会議から退出したかを判定する。
【００４６】
退出した場合（ステップＳ３０２：ＹＥＳ）は、本フローチャートの処理を終了する。
【００４７】
退出していない場合（ステップＳ３０２：ＮＯ）は、処理をステップＳ３０３に移行する。
【００４８】
ステップＳ３０３では、情報処理装置１０１のＣＰＵ２０１は、ステップＳ３０１でウェブ会議に参加したユーザの顔を検出（取得）できたかを判定する。なお、顔画像はクライアント端末１０２に接続された撮影装置により撮影されるものとする。
【００４９】
取得できた場合（ステップＳ３０３：ＹＥＳ）は、処理をステップＳ３０４に移行する。
【００５０】
取得できない場合（ステップＳ３０３：ＮＯ）は、処理をステップＳ３０２に移行する。
【００５１】
ステップＳ３０４では、情報処理装置１０１のＣＰＵ２０１は、ステップＳ３０３で取得した顔画像を記憶する。そしてステップＳ３０２に処理を戻す。
【００５２】
なお、ステップＳ３０３、Ｓ３０４の処理は、予め定められた間隔（例えば１０秒に１回）で定期的に実行しても良いし、クライアント端末から取得した画像から顔検出技術により顔を検出できた場合に実行しても良い。
【００５３】
また、顔画像に対して、参加している会議ＩＤと記録日時とを対応付けて記録する。対応付けて登録されたデータテーブルの一例を図６に示す。
【００５４】
以上の処理により、会議に参加しているユーザの顔画像を記録することが可能となる。
【００５５】
次に図４を用いて、クライアント端末１０２に表示する顔画像を決定する処理の第１形態について説明する。本実施形態は、ユーザＢの顔画像を決定する処理である。
【００５６】
なお、図４に示す処理は、情報処理装置１０１のＣＰＵ２０１が所定の制御プログラムを読み出して実行する処理である。
【００５７】
ステップＳ４０１では、情報処理装置１０１のＣＰＵ２０１は、図６に示す顔画像テーブルから本フローチャートの処理を実行していないデータを１件取得する。以下、当該顔画像データを、処理対象の顔画像データとする。
【００５８】
ステップＳ４０２では、情報処理装置１０１のＣＰＵ２０１は、ステップＳ４０１においてデータを取得できたか、すなわち、全ての顔画像データについて既に本フローチャートの処理を実行済みであるかを判定する。
【００５９】
全ての顔画像データについて処理を実行済みである場合（ステップＳ４０２：ＹＥＳ）は、処理をステップＳ４０８に移行する。
【００６０】
処理を実行していないデータを取得できた場合（ステップＳ４０２：ＮＯ）は、処理をステップＳ４０３に移行する。
【００６１】
ステップＳ４０３では、情報処理装置１０１のＣＰＵ２０１は、処理対象の画像データにかかるユーザＩＤがＢであるかを判定する。本実施形態においてはユーザＩＤ：Ｂの顔画像を決定する処理として説明しているため、本ステップにおいてもユーザＩＤ：Ｂの顔画像であるかの判定をしている。他のユーザの顔画像を決定する場合には、本ステップにおいても当該他のユーザの顔画像であるかの判定を行う。
【００６２】
ユーザＢの顔画像にかかるデータである場合（ステップＳ４０３：ＹＥＳ）は、処理をステップＳ４０４に移行する。
【００６３】
ユーザＢの顔画像にかかるデータではない場合（ステップＳ４０３：ＮＯ）は、処理をステップＳ４０１に戻し、次のデータに対する処理に移行する。
【００６４】
ステップＳ４０４では、情報処理装置１０１のＣＰＵ２０１は、既に一時記憶に顔画像データが記憶されているかを判定する。
【００６５】
記憶されている場合（ステップＳ４０４：ＹＥＳ）は、処理をステップＳ４０６に移行する。
【００６６】
記憶されていない場合（ステップＳ４０４：ＮＯ）は、処理をステップＳ４０５に移行し、処理対象の顔画像データを一時記憶に記憶し（ステップＳ４０５）、処理をステップＳ４０１に戻す。
【００６７】
ステップＳ４０６では、情報処理装置１０１のＣＰＵ２０１は、処理対象の顔画像データと一時記憶に記憶された顔画像データの検出日時（記録日時）を比較し、処理対象の顔画像データの方が新しいデータであるかを判定する。
【００６８】
処理対象の顔画像データの方が新しいデータである場合（ステップＳ４０６：ＹＥＳ）は、当該処理対象の顔画像データにより一時記憶を上書きし（Ｓ４０７）、処理をステップＳ４０１に戻す。
【００６９】
処理対象の顔画像データの方が古いデータである場合（ステップＳ４０６：ＮＯ）は、処理をステップＳ４０１に戻す。
【００７０】
ステップＳ４０８では、情報処理装置１０１のＣＰＵ２０１は、一時記憶に顔画像データが記憶されているか、すなわち、ユーザＢにかかる顔画像データが存在したかを判定する。
【００７１】
記憶されている場合（ステップＳ４０８：ＹＥＳ）は、処理をステップＳ４１０に移行する。
【００７２】
記憶されていない場合（ステップＳ４０８：ＮＯ）は、処理をステップＳ４０９に移行する。
【００７３】
ステップＳ４０９では、情報処理装置１０１のＣＰＵ２０１は、予め定められた代用データをユーザＢの顔画像として選択する。
【００７４】
ステップＳ４１０では、情報処理装置１０１のＣＰＵ２０１は、一時記憶に記憶されている顔画像データをユーザＢの顔画像として選択する。
【００７５】
ステップＳ４０９、Ｓ４１０で選択された画像は、クライアント端末に表示されるアドレス帳や会議室一覧表示画面で表示させるべく管理される。
【００７６】
以上の処理により、ユーザＢの顔画像を選択することが可能となる。特に、ステップＳ４０６、Ｓ４０７の処理により、最新の顔画像を選択することが可能となる。
【００７７】
次に図５を用いて、クライアント端末１０２に表示する顔画像を決定する処理の第２形態について説明する。本実施形態は、ユーザＡが利用するクライアント端末に表示するユーザＢの顔画像を決定する処理である。
【００７８】
なお、図５に示す処理は、情報処理装置１０１のＣＰＵ２０１が所定の制御プログラムを読み出して実行する処理である。
【００７９】
ステップＳ５０１では、情報処理装置１０１のＣＰＵ２０１は、図６に示す顔画像テーブルから本フローチャートの処理を実行していないデータを１件取得する。以下、当該顔画像データを、処理対象の顔画像データとする。
【００８０】
ステップＳ５０２では、情報処理装置１０１のＣＰＵ２０１は、ステップＳ５０１においてデータを取得できたか、すなわち、全ての顔画像データについて既に本フローチャートの処理を実行済みであるかを判定する。
【００８１】
全ての顔画像データについて処理を実行済みである場合（ステップＳ５０２：ＹＥＳ）は、処理をステップＳ５０５に移行する。
【００８２】
処理を実行していないデータを取得できた場合（ステップＳ５０２：ＮＯ）は、処理をステップＳ５０３に移行する。
【００８３】
ステップＳ５０３では、情報処理装置１０１のＣＰＵ２１０は、当該処理対象の顔画像にかかるユーザＩＤがＡであるかを判定する。
【００８４】
ユーザＩＤがＡである場合（ステップＳ５０３：ＹＥＳ）は、処理をステップＳ５０４に移行する。
【００８５】
ユーザＩＤがＡではない場合（ステップＳ５０３：ＮＯ）は、処理をステップＳ５５０１に戻し、次の顔画像データに対する処理に移行する。
【００８６】
ステップＳ５０４では、情報処理装置１０１のＣＰ２０１は、当該処理対象の顔画像データにかかる会議ＩＤをユーザＡの参加会議ＩＤとして追加記憶する。そして、処理をステップＳ５０１に戻し、次の顔画像データに対する処理に移行する。
【００８７】
ステップＳ５０５では、情報処理装置１０１のＣＰＵ２０１は、顔画像テーブルからデータを取得する位置をリセットする。
【００８８】
ステップＳ５０６では、情報処理装置１０１のＣＰＵ２０１は、図６に示す顔画像テーブルから本フローチャートの処理を実行していないデータを１件取得する。以下、当該顔画像データを、処理対象の顔画像データとする。
【００８９】
ステップＳ５０７では、情報処理装置１０１のＣＰＵ２０１は、ステップＳ５０６においてデータを取得できたか、すなわち、全ての顔画像データについて既に本フローチャートの処理を実行済みであるかを判定する。
【００９０】
全ての顔画像データについて処理を実行済みである場合（ステップＳ５０７：ＹＥＳ）は、処理をステップＳ５１４に移行する。
【００９１】
処理を実行していないデータを取得できた場合（ステップＳ５０７：ＮＯ）は、処理をステップＳ５０８に移行する。
【００９２】
ステップＳ５０８では、情報処理装置１０１のＣＰＵ２０１は、処理対象の画像データにかかるユーザＩＤがＢであるかを判定する。本実施形態においてはユーザＩＤ：Ｂの顔画像を決定する処理として説明しているため、本ステップにおいてもユーザＩＤ：Ｂの顔画像であるかの判定をしている。他のユーザの顔画像を決定する場合には、本ステップにおいても当該他のユーザの顔画像であるかの判定を行う。
【００９３】
ユーザＢの顔画像にかかるデータである場合（ステップＳ５０８：ＹＥＳ）は、処理をステップＳ５０９に移行する。
【００９４】
ユーザＢの顔画像にかかるデータではない場合（ステップＳ５０８：ＮＯ）は、処理をステップＳ５０６に戻し、次のデータに対する処理に移行する。
【００９５】
ステップＳ５０９では、情報処理装置１０１のＣＰＵ２０１は、処理対象の顔画像データにかかる会議ＩＤが、ステップＳ５０４で記憶されたユーザＡの参加会議ＩＤに含まれるかを判定する。すなわち、処理対象の顔画像データが、ユーザＡが参加していた会議において取得された顔画像であるかを判定する。
【００９６】
含まれる場合（ステップＳ５０９：ＹＥＳ）は、処理をステップＳ５１０に移行する。
【００９７】
含まれない場合（ステップＳ５０９：ＮＯ）は、処理をステップＳ５０６に戻す。
【００９８】
ステップＳ５１０では、情報処理装置１０１のＣＰＵ２０１は、既に一時記憶に顔画像データが記憶されているかを判定する。
【００９９】
記憶されている場合（ステップＳ５１０：ＹＥＳ）は、処理をステップＳ５１１に移行する。
【０１００】
記憶されていない場合（ステップＳ５１０：ＮＯ）は、処理をステップＳ５１３に移行し、処理対象の顔画像データを一時記憶に記憶し（ステップＳ５１３）、処理をステップＳ５０６に戻す。
【０１０１】
ステップＳ５１１では、情報処理装置１０１のＣＰＵ２０１は、処理対象の顔画像データと一時記憶に記憶された顔画像データの検出日時（記録日時）を比較し、処理対象の顔画像データの方が新しいデータであるかを判定する。
【０１０２】
処理対象の顔画像データの方が新しいデータである場合（ステップＳ５１１：ＹＥＳ）は、当該処理対象の顔画像データにより一時記憶を上書きし（Ｓ５１２）、処理をステップＳ５０６に戻す。
【０１０３】
処理対象の顔画像データの方が古いデータである場合（ステップＳ５１１：ＮＯ）は、処理をステップＳ５０６に戻す。
【０１０４】
ステップＳ５１４では、情報処理装置１０１のＣＰＵ２０１は、一時記憶に顔画像データが記憶されているか、すなわち、ユーザＢにかかる顔画像データが存在したかを判定する。
【０１０５】
記憶されている場合（ステップＳ４１４：ＹＥＳ）は、処理をステップＳ５１６に移行する。
【０１０６】
記憶されていない場合（ステップＳ４０８：ＮＯ）は、処理をステップＳ５１５に移行する。
【０１０７】
ステップＳ５１６では、情報処理装置１０１のＣＰＵ２０１は、予め定められた代用データをユーザＢの顔画像として選択する。
【０１０８】
ステップＳ５１５では、情報処理装置１０１のＣＰＵ２０１は、一時記憶に記憶されている顔画像データをユーザＢの顔画像として選択する。
【０１０９】
ステップＳ５１５、Ｓ５１６で選択された画像は、クライアント端末（本実施形態においてはユーザＡのクライアント端末）に表示されるアドレス帳や会議室一覧表示画面で表示させるべく管理される。
【０１１０】
以上の処理により、ユーザＢの顔画像を選択することが可能となる。特に、ステップＳ５０１〜Ｓ５０４、Ｓ５０９の処理により、ユーザＡが参加した会議におけるユーザＢの顔画像を選択することが可能となる。
【０１１１】
図６は、ステップＳ３０４で取得された顔画像データが登録されたデータテーブルの一例を示す図である。図６に示すとおり、いずれの会議で取得された顔画像なのかを示す会議ＩＤ、いずれの参加者の顔画像であるかを示すユーザＩＤ、いつ取得された顔画像なのかを示す検出時刻、顔画像データがそれぞれ対応付けて記憶されている。
【０１１２】
図７は、クライアント端末１０２に表示されるアドレス帳の一例である。
【０１１３】
図７に示す通り、ユーザの氏名や所属等の情報とともに、当該ユーザの顔画像が表示される。当該顔画像は、図４のＳ４１０や図５のＳ５１６の処理において選択された顔画像である。
【０１１４】
ステップＳ５１６の処理において選択された顔画像である場合は、ユーザＡのクライアント端末にはユーザＡが参加した会議における顔画像が表示される。すなわち自分が参加した会議における顔画像が表示される。
【０１１５】
図８は、顔画像を変更する場合の操作を説明するための画面である。図８では、観音次郎の顔画像を変更する場合について示している。図８（Ａ）のようなアドレス帳等において顔画像の変更指示がなされると、図８（Ｂ）に示す画面が表示される。図８（Ｂ）には、顔画像テーブルに登録された顔画像のうち、観音次郎の顔画像が表示されている。
【０１１６】
８０１で示すチェックボックスにチェックがなされると、自分が参加した会議で取得された観音次郎の顔画像に絞り込まれて表示される。
【０１１７】
図８（Ｂ）において決定指示がなされると、以降、当該画像がアドレス帳等で表示される。
【０１１８】
図９は、会議室一覧画面の一例を示す図である。図９に示す通り、第１会議室には、観音太郎と観音三郎が参加している。参加しているユーザの顔画像がユーザ名とともに表示されている。
【０１１９】
以上の処理により、ウェブ会議において会議参加者を誤って選択してしまうことを低減させることが可能となる。また、自分が参加した会議における顔画像を表示することが可能となるため、自分が普段見ている相手の顔を表示することができる。その結果、より誤選択を防ぐことが可能となる。
【０１２０】
さらに、ウェブ会議中に取得された顔画像を用いるため、アドレス帳に表示するために顔画像を用意する手間を省くことができる。
【０１２１】
また、本発明におけるプログラムは、図３〜図５の処理をコンピュータに実行させるプログラムである。なお、本発明におけるプログラムは、図３〜図５の各処理ごとのプログラムであってもよい。
【０１２２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１２３】
この場合、記録媒体から読み出されたプログラム自体が本発明の新規な機能を実現することになり、そのプログラムを記録した記録媒体は本発明を構成することになる。
【０１２４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１２５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１２９】
１０１  情報処理装置
１０２  クライアント端末
【図１】
2017117201.tif 000003
【図２】
2017117201.tif 000004
【図３】
2017117201.tif 000005
【図４】
2017117201.tif 000006
【図５】
2017117201.tif 000007
【図６】
2017117201.tif 000008
【図７】
2017117201.tif 000009
【図８】
2017117201.tif 000010
【図９】
2017117201.tif 000011